(57)【要約】【課題】突発的または一時的な要因による輻輳状態の発生をできるだけ防止すること。【解決手段】移動体通信ネットワークにおける運用状況の実績を示す実績情報を取得する処理と、当該移動体通信ネットワークにおける各ノードに対して設定された局データである設定データを取得する処理と、実績情報と設定データとに基づいて、トラヒック量の増加が予想されるノードまたはチャネルおよびトラヒック量に余裕のあるノードまたはチャネルを抽出する処理と、抽出したノードに対して、トラヒック量の変動を反映して最適化された局データを生成する処理と、生成した局データをそれぞれのノードでの更新のために転送する処理とをコンピュータに実行させる。【選択図】  図１４
2010010904.tif 000002
【特許請求の範囲】
【請求項１】
移動体通信ネットワークにおける局データの最適化を行うためのコンピュータプログラムにおいて、
当該移動体通信ネットワークにおける運用状況の実績を示す実績情報を取得する処理と、
当該移動体通信ネットワークにおける各ノードに対して設定された局データである設定データを取得する処理と、
前記実績情報と前記設定データとに基づいて、トラヒック量の増加が予想されるノードまたはチャネルおよびトラヒック量に余裕のあるノードまたはチャネルを抽出する処理と、
抽出したノードまたは抽出したチャネルを含むノードに対して、前記トラヒック量の変動を反映して最適化された局データを生成する処理と、
生成した局データをそれぞれのノードでの更新のために転送する処理と、
をコンピュータに実行させることを特徴とするコンピュータプログラム。
【請求項２】
前記抽出する処理には、
前記実績情報に含まれる項目のデータが、当該項目について予め設定された限界閾値を越えているときに、その項目を含むノードまたはチャネルをトラヒック量の増加が予想されるノードまたはチャネルとして抽出する処理と、
トラヒック量の増加が予想されるノードまたはチャネルとして抽出されたノードまたはチャネルにおけるトラヒック量の増加量を吸収可能なノードまたはチャネルを前記トラヒック量に余裕のあるノードとして抽出する処理とを含む、
請求項１記載のコンピュータプログラム。
【請求項３】
前記移動体通信ネットワークの存在する地域内においてイベントが予定されている場合に、そのイベントの開催時間に基づいてタスク起動時間を決定し、決定されたタスク起動時間が到達した後に、少なくとも前記転送する処理を実行する、
請求項１または２記載のコンピュータプログラム。
【請求項４】
移動体通信ネットワークにおける局データの最適化を行うためのコンピュータプログラムにおいて、
当該移動体通信ネットワークにおける運用状況の実績を示す実績情報を取得する第１の処理と、
当該移動体通信ネットワークにおける各ノードに対して設定された局データである設定データを取得する第２の処理と、
前記実績情報に含まれるノードのチャネルについての実績帯域値が、それに対応して設定された設定帯域値および限界閾値から求められる限界帯域値を越えているときに、当該チャネルを対象チャネルとして抽出するとともに、前記対象チャネルを含むノードを対象ノードとして抽出する第３の処理と、
前記対象チャネルについて、最適値として設定すべき帯域値である最適帯域値または当該最適帯域値と前記設定帯域値との差である差分帯域値を決定する第４の処理と、
前記対象ノードに含まれるチャネルの中から、前記実績情報、および、予め設定された設定帯域値および安全閾値から求められる帯域値の余裕量が前記差分帯域値を越えるチャネルを余裕チャネルとして抽出する第５の処理と、
抽出した前記対象チャネルおよび前記余裕チャネルについての帯域値を変更して最適化するための局データを当該ノードでの更新のために生成する第６の処理と、
をコンピュータに実行させることを特徴とするコンピュータプログラム。
【請求項５】
前記第４の処理において、
前記実績情報に基づき、前記対象チャネルについて直近において実績帯域値が最も低い値ａとその後の最も高い値ｂとから帯域値の増加率およびその間の経過時間を求め、
求めた増加率および経過時間に対して、それ以前における前記実績情報の中で最も類似する増加率および経過時間を抽出し、抽出した増加率および経過時間において示された最大の帯域値を、前記最適帯域値とする、
請求項４記載のコンピュータプログラム。
【請求項６】
前記対象ノードの上位ノードの配下にある当該対象ノードを除く全てのノードについて、当該対象ノードに地理的に近い順を示す分析順装置表を作成する処理と、
前記第５の処理において前記余裕チャネルを抽出できなかった場合に、前記分析順装置表で示される順で決定されるノードに含まれるチャネルの中から、前記余裕チャネルを抽出する処理とを含む、
請求項４または５記載のコンピュータプログラム。
【請求項７】
移動体通信ネットワークにおける局データの最適化を行う方法において、
当該移動体通信ネットワークにおける運用状況の実績を示す実績情報を取得し、
当該移動体通信ネットワークにおける各ノードに対して設定された局データである設定データを取得し、
前記実績情報と前記設定データとに基づいて、トラヒック量の増加が予想されるノードまたはチャネルおよびトラヒック量に余裕のあるノードまたはチャネルを抽出し、
抽出したノードまたは抽出したチャネルを含むノードに対して、前記トラヒック量の変動を反映して最適化された局データを生成し、
生成した局データをそれぞれのノードでの更新のために転送する、
ことを特徴とする移動体通信ネットワークにおける局データの最適化方法。
【請求項８】
移動体通信ネットワークにおける局データの最適化を行う装置において、
当該移動体通信ネットワークにおける運用状況の実績を示す実績情報を取得する手段と、
当該移動体通信ネットワークにおける各ノードに対して設定された局データである設定データを取得する手段と、
前記実績情報と前記設定データとに基づいて、トラヒック量の増加が予想されるノードまたはチャネルおよびトラヒック量に余裕のあるノードまたはチャネルを抽出する手段と、
抽出したノードまたは抽出したチャネルを含むノードに対して、前記トラヒック量の変動を反映して最適化された局データを生成する手段、
生成した局データをそれぞれのノードでの更新のために転送する手段と、
を有することを特徴とする移動体通信ネットワークにおける局データの最適化装置。
【発明の詳細な説明】
【技術分野】
【０００１】
本発明は、移動体通信ネットワークにおける局データの最適化方法および装置並びにコンピュータプログラムに関する。
【背景技術】
【０００２】
従来より、移動体通信ネットワークＮＳにおいて、種々の運用データの作成のために、ネットワーク運用データ生成システムが設けられている。ネットワーク運用データ生成システムは、例えばＩＭＴ−２０００システムの全体において、コアネットワーク系装置および無線アクセス系装置の動作および保守監視に必要となる運用データを生成する。
【０００３】
このような移動体通信ネットワークＮＳにおいて、ネットワーク構成や、無線ネットワーク制御装置（ＲＮＣ）または無線基地局（ＮＯＤＥ−Ｂ）などの増減設計画などを含むネットワーク運用設備計画情報に基づいて、保守担当者による局データファイルの作成が行われている。ネットワーク運用設備計画情報においては、ネットワークサービス企画・運用部門が管理している地域ごとのデータマート情報（月に１回収集等）から、無線基地局のセルエリアに収容可能な端末数や必要回線帯域を予測することにより、無線基地局の収容可能数や回線帯域が決定されている。
【０００４】
ところで、移動体通信サービスに対する爆発的な需要の増加にともなって、移動体通信ネットワークの加入者数および通信トラヒックが急激に増加している。これらの増加にともなって、ネットワークのサービス提供エリアの拡大および容量の拡大を迅速に実施する必要がある。
【０００５】
ところで、移動体通信ネットワークのトラヒック制御に関して、トラヒック監視装置によってトラヒック量を計測し、トラヒック量が割り当てられているチャネル帯域よりも大きくなって通信パスの帯域の増加が必要となった場合に、データ転送チャネルを帯域の大きいチャネルに切り替えるように帯域制御を行うことが提案されている（特許文献１）。
【０００６】
また、ネットワーク上のトラヒックをモニタしてトラヒックのボトルネックを検出し、検出したボトルネックを解消するように新たなサーバを構築することが提案されている（特許文献２）。
【特許文献１】特開２０００−２９５２７６
【特許文献２】特開平８−１３７８１０
【発明の開示】
【発明が解決しようとする課題】
【０００７】
しかし、それら上に述べた従来技術では、突発的または一時的な要因による輻輳状態の発生を未然に防止することが難しいという問題がある。
【０００８】
例えば、コンサートや野球観戦などのイベントが開催されたとき、または災害発生時の避難所などにおいて、収容可能数以上の通信端末のアクセスが突発的に集中し、輻輳により電話が繋がり難くなったり通話不通となることがある。
【０００９】
現在のＩＭＴ−２０００無線アクセスネットワークは、収容数や回線帯域の突発的な不足が生じた際に、ネットワーク運用データ生成システムへの通知経路がないため、急激なトラヒック変動に迅速に対応ができないという問題がある。すなわち、ネットワークリソース割当てに関する柔軟性の欠如、ネットワーク網に対するリアルタイム性の欠如という問題がある。
【００１０】
また、無線基地局における障害の発生によりそのエリアの一帯が不通状態となった場合に、その緊急対策として、隣接する無線基地局のアンテナ角度の向きを上段に変更し、送信電力をパワーアップしてカバーエリアを広げる対策をとる必要がある。ところが、その場合に、まず保守担当者が局データを作成し直し、作成し直した局データを無線基地局へ転送するという手順を踏む必要があり、迅速な対応ができないという問題がある。
【００１１】
また、その場合の他の対策として、可搬型無線基地局を設置して緊急対応を行なうことも可能であるが、多大なコストが掛かることと、設置からサービスの開始までに相応の時間を要するため、やはり迅速な対応ができないという問題がある。
【００１２】
また、従来において、トラヒック量の増減傾向から計画的に使用帯域の変更が行われている。その場合に、該当する無線基地局の使用帯域とその配下の無線基地局の使用帯域との合計値がその上位の無線基地局の最大帯域値を超過しないかどうかの判断を保守担当者が行う必要がある。この場合においても、使用帯域値などを人的に算出することによる低い作業効率、手作業による正確性の欠如、また、ネットワークに対するリアルタイム性の欠如といった問題がある。
【００１３】
本発明は、突発的または一時的な要因による輻輳状態の発生をできるだけ防止することを目的とする。
【課題を解決するための手段】
【００１４】
本発明に係るコンピュータプログラムは、移動体通信ネットワークにおける局データの最適化を行うためのコンピュータプログラムにおいて、当該移動体通信ネットワークにおける運用状況の実績を示す実績情報を取得する処理と、当該移動体通信ネットワークにおける各ノードに対して設定された局データである設定データを取得する処理と、前記実績情報と前記設定データとに基づいて、トラヒック量の増加が予想されるノードまたはチャネルおよびトラヒック量に余裕のあるノードまたはチャネルを抽出する処理と、抽出したノードまたは抽出したチャネルを含むノードに対して、前記トラヒック量の変動を反映して最適化された局データを生成する処理と、生成した局データをそれぞれのノードでの更新のために転送する処理と、をコンピュータに実行させる。
【００１５】
好ましくは、前記抽出する処理には、前記実績情報に含まれる項目のデータが、当該項目について予め設定された限界閾値を越えているときに、その項目を含むノードまたはチャネルをトラヒック量の増加が予想されるノードまたはチャネルとして抽出する処理と、トラヒック量の増加が予想されるノードまたはチャネルとして抽出されたノードまたはチャネルにおけるトラヒック量の増加量を吸収可能なノードまたはチャネルを前記トラヒック量に余裕のあるノードとして抽出する処理とを含む。
【００１６】
これにより、トラヒック量の変動を反映して最適化された局データが生成され、それをリアルタイムに無線アクセス網にフィードバックすることができる。
【発明の効果】
【００１７】
本発明によると、突発的または一時的な要因による輻輳状態の発生をできるだけ防止することができる。
【発明を実施するための最良の形態】
【００１８】
〔Ｉ．移動体通信ネットワークシステム〕
図１は本発明の実施形態に係る移動体通信ネットワークシステムＮＳの全体の構成の概要を示す図、図２は保守網２における各システムの構成を示すブロック図である。
【００１９】
図１において、移動体通信ネットワークシステムＮＳは、無線アクセス網１および保守網２などから構成される。
【００２０】
無線アクセス網１は、交換局ＭＭＳ（Mobile Multimedia Switching Center: 移動体通信マルチメディア交換局) 、複数の基地局制御装置ＲＮＣ、基地局制御装置ＲＮＣ（Radio Network Controller) の配下にある複数のノード（Node-B: 無線基地局）ＮＥなどからなる。ノードＮＥについて１階層のみ示されているが、複数階層の場合もある。
【００２１】
基地局制御装置ＲＮＣは、その配下にあるノードＮＥの制御を行うとともに、他の基地局制御装置ＲＮＣまたは交換局ＭＭＳとの間において回線の接続を行い、通話または通信を中継する。基地局制御装置ＲＮＣは、例えば、複数のノードＮＥを制御し、発着信接続制御、終話制御、およびダイバシチーハンドオーバ制御などを行なう。
【００２２】
ノードＮＥは、それぞれのエリア内にある図示しない携帯端末との間で無線通信を行い、通話または通信を中継する。
【００２３】
基地局制御装置ＲＮＣまたはノードＮＥについて、特定の基地局制御装置ＲＮＣまたはノードＮＥを示す場合には、それぞれの末尾または符号の末尾に（０）、（１）、（２）…（ｎ）などを付す。例えば、図１の左端に位置する「Ｎｏｄｅ−Ｂ（０）」を示す場合には、「ノードＮＥ（０）」または「ＮＥ（０）」と記載する。
【００２４】
ノードＮＥの記憶装置には、各ノードＮＥの制御に用いられるパラメータ（接続情報）である局データＤＮが記憶されている。局データＤＮに基づいて、各ノードＮＥにおける空中線電力、帯域値（帯域幅）、アンテナの仰角、その他の種々の制御が行われる。なお、本明細書において、「局データ」は「局データファイル」を含んだ概念である。
【００２５】
保守網２は、ネットワーク監視システム１１、局データ生成システム１２、および保守端末１３などから構成される。
【００２６】
ネットワーク監視システム１１は、保守網ＣＷによって、交換局ＭＭＳ、基地局制御装置ＲＮＣ、およびノードＮＥと接続されており、無線アクセス網１の監視を行う。また、局データ生成システム１２において生成された局データＤＮを、保守網ＣＷを介してノードＮＥなどに転送する。なお、ネットワーク監視システム１１それ自体の機能は従来より公知である。
【００２７】
局データ生成システム１２は、保守担当者が入力したデータに基づいて、局データＤＮを生成し、ネットワーク監視システム１１に転送する。また、特に本実施形態において、局データ生成システム１２は、無線アクセス網１の運用状況を分析し、空中線電力、帯域値、アンテナの仰角など、局データＤＮとして設定される設定データ（パラメータ）ＤＮＳの最適値、例えば最適の帯域値を導出し、これによって局データＤＮを生成する。
【００２８】
保守端末１３は、保守担当者が局データＤＮの変更などを行うときに使用する端末装置である。
【００２９】
図１において、例えば、ノードＮＥ（０）の配下の携帯端末に発信しようとした際に、基地局制御装置ＲＮＣ（０）の配下ノードＮＥ（０）のネットワークが輻輳し、その発信ができない状態において、局データＤＮの変更によるネットワークリソースの割り当ての変更が行われる。本実施形態においては、局データＤＮの変更を行うことによってネットワークの輻輳を緩和する形態を例として説明する。特に、局データＤＮが「帯域値」である場合を例として説明する。
【００３０】
なお、無線アクセス網１を構成する基地局制御装置ＲＮＣおよびノードＮＥの局データＤＮの変更が可能であるので、「帯域値」以外の種々の局データＤＮをリアルタイムで変更するようにしてもよい。
【００３１】
なお、ネットワーク監視システム１１、局データ生成システム１２、および保守端末１３は、それぞれ、処理装置、記憶装置、入力装置、表示装置、インタフェース装置などを有したコンピュータシステムまたはサーバによって構成される。また、コンピュータシステムに適当なハードウエアを付加して構成することも可能である。そして、それぞれの機能は、コンピュータシステムに備えられたＣＰＵがＲＡＭまたはＲＯＭなどに記憶されたプログラム（コンピュータプログラム）を実行することにより、ソフトウエア的に実現することができる。また、コンピュータシステムに内蔵されたまたは専用のハードウエア回路によって、またはそれらの組み合わせによって、それぞれの機能を実現することも可能である。
【００３２】
そのようなコンピュータシステムにおいて、それぞれの機能を実現するためのプログラムは、図２０に示すように、半導体メモリ、ハードディスク、ＣＤ−ＲＯＭ、フレキシブルディスク、又は光磁気ディスクなどの記録媒体ＳＴＡ，ＳＴＢ，ＳＴＣに格納可能である。記録媒体ＳＴに格納されたプログラムは、主メモリ上に適時ローディングされ、処理装置によって実行される。その際に、ＣＤ−ＲＯＭドライブ、ＤＶＤドライブ、メモリドライブ、または光磁気ディスクドライブなどのドライブ装置が必要に応じて用いられる。記録媒体がネットワークなどの通信回線ＳＴＤで結ばれたサーバに設けられている場合には、通信回線ＳＴＤを介してサーバからプログラムが読み取られまたはダウンロードされる。プログラムは、種々のＯＳ、プラットホーム、システム環境、又はネットワーク環境の下で動作するように供給可能である。
〔II. 保守網の構成〕
図２において、ネットワーク監視システム１１は、無線アクセス網アクセス部１０１、網情報収集部１０２、局データ転送部１０３、局データ生成システムアクセス部１０４、および網情報格納部１５１などを有する。
【００３３】
無線アクセス網アクセス部１０１は、保守網ＣＷを用いて無線アクセス網１の各装置と通信を行う。例えば、交換局ＭＭＳまたは基地局制御装置ＲＮＣなどの局データＤＮを転送する場合に、無線アクセス網アクセス部１０１を介してそのデータの転送を行う。
【００３４】
網情報収集部１０２は、無線アクセス網１から情報を収集し、収集した情報を網情報格納部１５１に格納する。
【００３５】
局データ転送部１０３は、局データ生成システム１２で生成した局データＤＮを無線アクセス網１の該当する装置に転送するよう、無線アクセス網アクセス部１０１に対して指示を行う。
【００３６】
局データ生成システムアクセス部１０４は、局データ生成システム１２との間における通信を司る。
【００３７】
網情報格納部１５１は、無線アクセス網１の状態を示す種々の情報である網情報Ｄ１５１を格納し、管理する。
【００３８】
局データ生成システム１２は、統計情報管理部２０１、網状態チェック部２０３、最適化制御部２０４、最適化分析部２０５、余剰帯域分析部２０６、イベント情報制御部２０９、イベント情報分析部２１０、位置情報分析部２１１、ＯＰＳアクセス部２１５、局データ生成部２２０、保守端末アクセス部２３０、統計情報格納部２５１、局設定情報格納部２５３、閾値データ格納部２５４、過去最適値化情報格納部２５５、およびイベント実績情報格納部２５６などを有する。
【００３９】
統計情報管理部２０１は、ネットワーク監視システム１１で収集した網情報Ｄ１５１を入手し、統計情報Ｄ２５１としてまとめる。また、統計情報管理部２０１は、網状態チェック部２０３を起動する。
【００４０】
網状態チェック部２０３は、統計情報管理部２０１によって起動され、統計情報Ｄ２５１および局設定情報Ｄ２５３に基づいて無線アクセス網１が輻輳しているか否かを分析する。網状態チェック部２０３は、その分析結果に基づいて、最適化制御部２０４を起動する。
【００４１】
最適化制御部２０４は、網状態チェック部２０３によって起動され、網状態チェック部２０３の分析結果を入力として、最適化分析部２０５を起動する。
【００４２】
最適化分析部２０５は、最適化制御部２０４によって起動され、設定データの最適値、例えば最適の帯域値の導出を行い、余剰帯域分析部２０６を起動する。余剰帯域分析部２０６により導出された最適値、例えば帯域値の最適値（最適帯域値）ＢＳで、局データ生成部２２０を起動する。また、最適化ができない場合に、その旨を保守端末アクセス部２３０を介して保守端末１３に通知する。
【００４３】
余剰帯域分析部２０６は、最適化分析部２０５によって起動され、他で使用している帯域値を使用可能であるか否かを分析し、最適帯域値ＢＳを決定する。そして、決定した最適帯域値ＢＳを、最適化分析部２０５に通知する。
【００４４】
イベント情報制御部２０９は、保守端末３００によって、保守端末アクセス部２３０を介して起動される。また、イベント情報制御部２０９は、位置情報分析部２１１を起動し、位置情報を取得する。また、イベント情報制御部２０９は、イベント情報分析部２１０を起動し、最適帯域値ＢＳを取得し、最適化分析部２０５を起動する。
【００４５】
イベント情報分析部２１０は、イベント情報制御部２０９によって起動され、イベント実績情報Ｄ２５６から過去の同一のイベントで使用された設定データ、例えば帯域値（使用帯域値）ＢＴを求め、最適帯域値ＢＳを導出し、イベント情報制御部２０９に通知する。
【００４６】
位置情報分析部２１１は、イベント情報制御部２０９によって起動され、イベントの開催場所の位置情報に近い装置を抽出し、分析順装置番号表ＴＢ１を作成し、イベント情報制御部２０９に通知する。
【００４７】
ＯＰＳアクセス部２１５は、ネットワーク監視システム１１との間の通信を司る。
【００４８】
局データ生成部２２０は、保守担当者の入力データを無線アクセス網１の各装置、つまり交換局ＭＭＳ、基地局制御装置ＲＮＣ、またはノードＮＥなどに設定可能な形式に変換するなどによって、局データＤＮを生成する。上に述べたように、本実施形態においては、特に最適帯域値ＢＳの局データＤＮを生成する。なお、局データ生成部２２０それ自体の機能は、従来より公知である。
【００４９】
保守端末アクセス部２３０は、保守端末１３との間における通信を司る。
【００５０】
統計情報格納部２５１は、ネットワーク監視システム１１から取得した無線アクセス網１の網状態についての加工された情報である統計情報Ｄ２５１を格納し、管理する。
【００５１】
局設定情報格納部２５３は、無線アクセス網１にある各装置に設定されている局ごとの設定値を示す局設定情報Ｄ２５３を格納し管理する。局設定情報Ｄ２５３には局データＤＮが含まれる。なお、局設定情報格納部２５３それ自体の機能は従来より公知である。
【００５２】
閾値データ格納部２５４は、限界閾値ＤＴＧおよび安全閾値ＤＴＡを含む閾値データＤ２５４を格納し管理する。
【００５３】
過去最適値化情報格納部２５５は、過去の最適帯域値ＢＳを時間と増加率とにより管理する情報である過去最適値化情報Ｄ２５５を格納し、管理する。
【００５４】
イベント実績情報格納部２５６は、過去のイベントごとに、使用帯域値ＢＴの実績情報である実績帯域値ＢＪを含むイベント実績情報Ｄ２５６を格納し、管理する。
【００５５】
保守端末１３は、ＨＭＩ(Human Machine Interface) ３０１、イベント情報管理部３０２、タスク管理部３０３、局データ生成要求部３０４、局データ生成システムアクセス部３１０、およびイベント情報格納部３５１などを有する。
【００５６】
ＨＭＩ３０１は、保守端末１３と保守担当者との間のマンマシンインタフェースであり、例えば、キーボード、マウス、その他のポインティング装置、表示装置、またはタッチパネルなどが用いられる。
【００５７】
イベント情報管理部３０２は、保守担当者によって入力されたイベント情報をイベント情報格納部３５１に格納し管理する。また、イベント情報管理部３０２は、開催場所に基づいて位置情報を導出する。
【００５８】
タスク管理部３０３は、局データ生成要求部３０４を起動する。この機能は、保守端末１３のＯＳ（Operating System) が備えている。
【００５９】
局データ生成要求部３０４は、タスク管理部３０３によって起動され、局データ生成システム１２にイベント情報を渡し、イベントでの最適帯域値ＢＳの局データＤＮの作成を依頼する。
【００６０】
局データ生成システムアクセス部３１０は、局データ生成システム１２との間における通信を司る。
【００６１】
イベント情報格納部３５１は、イベント情報管理部３０２により設定されたイベント情報Ｄ３５１を格納し、管理する。
【００６２】
本実施形態においては、保守端末１３にイベント情報管理部３０２およびイベント情報格納部３５１を設けたことが、特徴の１つである。
【００６３】
なお、上に説明した各部は、それらの機能に着目すると、例えば次のようにグループ化することが可能である。
【００６４】
すなわち、統計情報管理部２０１および網状態チェック部２０３は、定期的に収集した実績情報に基づく統計情報Ｄ２５１と現在設定されている局設定情報Ｄ２５３とに基づいて、無線アクセス網１に輻輳が生じる可能性がないか、また輻輳状態が生じていないかといった、輻輳状態についての分析を行う。したがって、これらは、状態チェックグループと言うことが可能である。
【００６５】
また、最適化制御部２０４、最適化分析部２０５、および余剰帯域分析部２０６は、輻輳状態が生じる可能性の高い局または回線に対応して、余裕のある局または回線がないかどうかを分析し、さらにそれらを総合的に分析して、最適値、つまり例えば最適帯域値ＢＳを決定する。したがって、これらは、最適値決定グループと言うことも可能である。
【００６６】
また、イベント情報制御部２０９、イベント情報分析部２１０、および位置情報分析部２１１は、過去および将来のイベントに関する情報を管理し、イベントによって輻輳状態が生じることのないように、イベントの実行されるタイミングに合わせて局データＤＮの最適値を決定するように制御する。したがって、これらは、イベント対応グループと言うことが可能である。
〔III.処理および動作の概略〕
次に、上のように構成された移動体通信ネットワークシステムＮＳにおいて、局データＤＮを最適化するための処理または動作の概略について説明する。
【００６７】
すなわち、保守網２、その中でも特に局データ生成システム１２において、移動体通信ネットワークシステムＮＳにおける運用状況の実績を示す実績情報ＪＪを取得する処理と、移動体通信ネットワークシステムＮＳにおける各ノードに対して設定された局データＤＮである設定データＤＮＳを取得する処理と、実績情報ＪＪと設定データＤＮＳとに基づいて、トラヒック量の増加が予想されるノードまたはチャネル、および、トラヒック量に余裕のあるノードまたはチャネルを抽出する処理と、抽出したノードに対して、トラヒック量の変動を反映して最適化された局データＤＮを生成する処理と、生成した局データＤＮをそれぞれのノードでの更新のために転送する処理とが実行される。
【００６８】
また、抽出する処理には、実績情報に含まれる項目のデータが、当該項目について予め設定された限界閾値を越えているときに、その項目を含むノードまたはチャネルをトラヒック量の増加が予想されるノードまたはチャネルとして抽出する処理と、トラヒック量の増加が予想されるノードまたはチャネルとして抽出されたノードまたはチャネルにおけるトラヒック量の増加量を吸収可能なノードまたはチャネルをトラヒック量に余裕のあるノードとして抽出する処理とが含まれる。
【００６９】
また、移動体通信ネットワークシステムＮＳの存在する地域内においてイベントが予定されている場合に、そのイベントの開催時間に基づいてタスク起動時間を決定し、決定されたタスク起動時間が到達した後に、少なくとも転送する処理を実行する。
【００７０】
また、局データ生成システム１２において、次のような処理が実行される。すなわち、移動体通信ネットワークシステムＮＳにおける運用状況の実績を示す実績情報を取得する第１の処理と、移動体通信ネットワークシステムＮＳにおける各ノードに対して設定された局データＤＮである設定データＤＮＳを取得する第２の処理と、実績情報に含まれるノードのチャネルについての実績帯域値が、それに対応して設定された設定帯域値および限界閾値から求められる限界帯域値を越えているときに、当該チャネルを対象チャネルとして抽出するとともに、対象チャネルを含むノードを対象ノードとして抽出する第３の処理と、対象チャネルについて、最適値として設定すべき帯域値である最適帯域値ＢＳまたは当該最適帯域値ＢＳと前記実績帯域値との差である差分帯域値を決定する第４の処理と、対象ノードに含まれるチャネルの中から、実績情報、および、予め設定された設定帯域値および安全閾値から求められる帯域値の余裕量が差分帯域値を越えるチャネルを余裕チャネルとして抽出する第５の処理と、抽出した前記対象チャネルおよび余裕チャネルについての帯域値を変更して最適化するための局データＤＮを当該ノードでの更新のために生成する第６の処理とが実行される。
【００７１】
さらに説明を加えると、例えばＩＭＴ−２０００ネットワークである無線アクセス網１の回線ごとの使用状況を示す情報、つまり運用状況の実績を示す実績情報を、統計情報管理部２０１が定期的に受信し、そのうちの例えば使用帯域値ＢＴについての情報（データ）を統計情報Ｄ２５１として整理し、整理した統計情報Ｄ２５１を統計情報格納部２５１に格納して管理する。
【００７２】
最適化分析部２０５は、統計情報格納部２５１で管理されている統計情報Ｄ２５１を解析し、局設定情報格納部２５３に登録されている局設定情報Ｄ２５３に基づいて、局データＤＮの最適値を決定する。局データＤＮの最適値を決定するに当たり、最適化分析部２０５は、例えば、現在の局ごとの最大帯域と各回線（チャネル）の使用帯域値ＢＴから、それらにおける最適な使用帯域である最適帯域値ＢＳを決定する。局データ生成部２２０は、決定された最適帯域値ＢＳについて、その局データＤＮを生成し、ネットワーク監視システム１１を経由して無線アクセス網１の各ノードＮＥまたは基地局制御装置ＲＮＣに対し、生成した局データＤＮを送信する。
【００７３】
つまり、無線アクセス網１における局構成およびトラヒック情報などの運用状況に基づいて、ノードＮＥおよび基地局制御装置ＲＮＣを含む各局または回線（チャネル）の最適帯域値ＢＳを求め、それをそれらの局における使用帯域値ＢＴの局データＤＮとしてリアルタイムに反映させるのである。
【００７４】
なお、本実施形態においては、使用帯域値を例として説明しているが、局設定情報Ｄ２５３または運用データとして管理している他の様々な局データＤＮに対しても適用される。
【００７５】
例えば、キャリア（搬送波）、セクタ、アンテナ角度、送信電力、物理回線、論理回線、カード、および局構成などについての情報またはデータについても適用可能である。つまり、これらについて、実績情報と実際に設定されている局データＤＮとに基づいて、対象となる局または回線についての最適化された局データＤＮを求め、求めた局データＤＮをそれらの局または回線に対してリアルタイムに反映させることができる。
【００７６】
また、保守担当者では監視できないトラヒック情報を、統計情報格納部２５１において局ごとの統計情報Ｄ２５１を一元的に管理することにより、隣接するまたは周辺に存在するノードＮＥのトラヒック情報に基づいて、個々のノードＮＥまたは回線についての最適な局データＤＮをリアルタイムに求め、求めた局データＤＮを各局へフィードバックすることができる。
〔IV. 実施例〕
以下、局データＤＮが「帯域値」である場合について、ネットワークの輻輳を緩和するための処理を具体例に基づいて説明する。
【００７７】
すなわち、図１において、ノードＮＥ（０）の配下の携帯端末からノードＮＥ（１）の配下の携帯端末に発信しようとした際に、基地局制御装置ＲＮＣ（０）の配下のノードＮＥ（０）のネットワークが輻輳し、発信ができない状態であるとする。この状態において、局データＤＮの変更によるネットワークリソースの割り当て変更により、当該ネットワークの輻輳を緩和するような処理が行われる。
【００７８】
なお、本実施形態の保守網２によると、無線アクセス網１を構成する基地局制御装置ＲＮＣおよびノードＮＥの種々の局データＤＮをリアルタイムに変更することが可能であるので、ここで述べる帯域値以外の局データＤＮについても実施することが可能であるのはいうまでもない。
【００７９】
図３は網情報格納部１５１に格納された網情報Ｄ１５１の例を示す図、図４は統計情報格納部２５１に格納された統計情報Ｄ２５１の例を示す図、図５は局設定情報格納部２５３に格納された帯域値についての局設定情報Ｄ２５３の例を示す図、図６は局設定情報格納部２５３に格納された位置情報ＬＮについての局設定情報Ｄ２５３の例を示す図、図７は閾値データ格納部２５４に格納された閾値データＤ２５４の例を示す図、図８は過去最適値化情報格納部２５５に格納された過去最適値化情報Ｄ２５５の例を示す図、図９はイベント情報格納部３５１に格納されたイベント情報Ｄ３５１の例を示す図、図１０はイベント実績情報格納部２５６に格納されたイベント実績情報Ｄ２５６の例を示す図、図１１は分析順装置番号表ＨＪの例を示す図、図１２は仮想チャネル管理情報ＫＣの例を示す図、図１３は仮想パスＶＰおよび仮想チャネルＶＣを説明するための図である。
〔１．無線アクセス網の実績情報の収集〕
まず、ネットワーク監視システム１１は、既存の機能によって、無線アクセス網１の状態を示す情報を定期的に収集し、網情報Ｄ１５１として網情報格納部１５１に一定期間蓄積している。例えば、１時間ごとに情報を収集する。情報には、基地局制御装置ＲＮＣごとの各ノードＮＥの使用帯域値ＢＴが含まれる。
【００８０】
図３（Ａ）において、網情報Ｄ１５１には、全ての交換局ＭＭＳ、基地局制御装置ＲＮＣ、およびノードＮＥについて、それぞれの状態を示す情報が含まれている。つまり、交換局ＭＭＳ、基地局制御装置ＲＮＣ、およびノードＮＥの各番号が特定され、これにより全てのノードＮＥが順に特定され、特定されたノードＮＥごとに、状態を示す情報が記録されている。図３（Ａ）において、網情報Ｄ１５１の中に帯域情報ＢＵが含まれることが示されている。なお、帯域情報ＢＵ以外の情報として、例えば「発着回数」などがある。
【００８１】
図３（Ｂ）に示すように、帯域情報ＢＵとして、回線における仮想パス（ＶＰ：Virtual Path )  の番号であるＶＰ番号、および各ＶＰ番号における仮想チャネル（ＶＣ：Virtual Channel ) の番号であるＶＣ番号に対応して、測定された使用帯域値ＢＴ、およびそれが測定された時刻ＪＫが記録されている。
【００８２】
図３（Ｂ）によると、例えば、ＶＰ番号「０」について、ＶＣ番号が「６５」「６６」に対して、「２００８年０１月２５日１６時」および「２００８年０１月２５日１７時」に使用帯域値ＢＴの測定が行われ、使用帯域値ＢＴは、それぞれ、「７００」「９５０」「３００」「７００」であったことが分かる。
【００８３】
なお、仮想パスＶＰおよび仮想チャネルＶＣは、図１３に示すように、１本の物理ケーブルＣＢに対して論理的に割り当てられた回線である。通常、１本の物理ケーブルＣＢに対して、複数の仮想パスＶＰが割り当てられ、１つの仮想パスＶＰに対して複数の仮想チャネルＶＣが割り当てられる。１本の物理ケーブルを敷設することにより多重通信が可能となる。物理ケーブルＣＢは、基地局制御装置ＲＮＣとノードＮＥとの間などに敷設される。
【００８４】
なお、仮想パスＶＰまたは仮想チャネルＶＣを、それぞれＶＰ番号（ＶＰＩ）またはＶＣ番号（ＶＣＩ）のみによって示すことがある。
【００８５】
局データ生成システム１２において、統計情報管理部２０１は、網情報Ｄ１５１をネットワーク監視システム１１から受信し、これを統計情報Ｄ２５１としてまとめる。
【００８６】
図４（Ａ）において、統計情報Ｄ２５１には、前回収集したノードＮＥ（０）の情報である前回情報ＺＪ、および今回収集したノードＮＥ（１）についての実績情報ＪＪが含まれる。実績情報ＪＪには、帯域情報ＢＵが含まれる。
【００８７】
図４（Ｂ）において、統計情報Ｄ２５１の帯域情報ＢＵには、ＶＰ番号およびＶＣ番号に対応して、帯域情報ＢＵについての最新値、過去２４時間における１時間ごとの平均値、当週における毎日の平均値、当月における週ごとの平均値、および年間平均値などが含まれる。
【００８８】
統計情報管理部２０１は、実績情報ＪＪの収集に当たって、統計情報Ｄ２５１の中から前回情報ＺＪを抽出する。例えば、前回情報ＺＪに「ＭＭＳ（０）、ＲＮＣ（０）、ＮＥ（０）」が設定されていた場合には、設定されている局の最下位局、この例ではノードＮＥ（０）であるが、そのノードＮＥ（０）の次のノードＮＥ（１）が、今回においてネットワーク監視システム１１から網情報Ｄ１５１を収集する対象の局となる。
【００８９】
このように抽出された今回の対象の局の情報「ＭＭＳ（０）、ＲＮＣ（０）、ＮＥ（１）」を、統計情報Ｄ２５１の前回情報ＺＪに設定する。
【００９０】
したがって、もし、例えば、前回情報ＺＪとして「ＭＭＳ（０）、ＲＮＣ（０）、ＮＥ（ｎ）」が設定されていた場合には、ＮＥ（ｎ）は番号が末尾のノードＮＥであるので、ＭＭＳ（０）、ＲＮＣ（０）の配下の全てのノードＮＥの情報の収集が完了したことになり、今回については、ＭＭＳ（０）、ＲＮＣ（１）の配下のノードＮＥが、情報の収集の対象局として選択されることになる。
【００９１】
なお、本実施例において、図３に示す使用帯域値ＢＴは、ＭＭＳ（０）、ＲＮＣ（０）、ＮＥ（０）についての最新の使用帯域値ＢＴを示すものとする。
【００９２】
統計情報管理部２０１は、情報の収集の対象局を抽出すると、その対象局、ここの例では「ＭＭＳ（０）、ＲＮＣ（０）、ＮＥ（０）」を入力情報として、ＯＰＳアクセス部２１５を起動し、局データ生成システムアクセス部１０４と通信を行う。局データ生成システムアクセス部１０４は、網情報収集部１０２を起動する。
【００９３】
網情報収集部１０２は、入力情報である「ＭＭＳ（０）、ＲＮＣ（０）、ＮＥ（０）」から、網情報Ｄ１５１をインデックスしてそのノードＮＥ（０）についての網情報を抽出する。抽出された網情報は、局データ生成システムアクセス部１０４とＯＰＳアクセス部２１５との間の通信を経て、統計情報管理部２０１に渡される。
【００９４】
このようにして、無線アクセス網１の実績情報ＪＪが取得される。
〔２．無線アクセス網の状態チェック〕
統計情報管理部２０１は、ＭＭＳ（０）、ＲＮＣ（０）、ＮＥ（０）について収集した網情報を用いて、必要な演算を行って、統計情報Ｄ２５１として管理されているデータ項目に対応する情報を算出し、それを統計情報格納部２５１に書き込んで統計情報Ｄ２５１を更新する。
【００９５】
次に、統計情報管理部２０１は、「ＭＭＳ（０）、ＲＮＣ（０）、ＮＥ（０）」および状態チェックの対象となる項目（チェック対象項目）を入力情報として、網状態チェック部２０３を起動する。
【００９６】
なお、チェック対象項目は、ここでは「帯域値」であるが、ネットワーク監視システム１１が収集している網情報Ｄ１５１と局設定情報Ｄ２５３との両方で管理されている項目であれば、チェック対象項目とすることが可能である。
【００９７】
網状態チェック部２０３は、統計情報Ｄ２５１から、「ＭＭＳ（０）、ＲＮＣ（０）、ＮＥ（０）」の帯域値についての「最新値」を抽出する。また、網状態チェック部２０３は、局設定情報Ｄ２５３から、「ＭＭＳ（０）、ＲＮＣ（０）、ＮＥ（０）」の局データＤＮとして設定されている設定帯域値ＢＥを抽出する。
【００９８】
図５（Ａ）において、局設定情報Ｄ２５３として、基地局制御装置ＲＮＣごとに、またノードＮＥごとに、それぞれの設定情報が記録されている。ここの例では、帯域設定情報ＳＢが示されている。
【００９９】
なお、局設定情報Ｄ２５３は本発明における設定データに相当し、帯域設定情報ＳＢまたは設定帯域値ＢＥは、設定データＤＮＳのうちの帯域値に関するデータである。
【０１００】
図５（Ｂ）において、帯域設定情報ＳＢとして、ＶＰ番号およびＶＣ番号に対応して、設定帯域値ＢＥが記録されている。例えば、ＶＰ番号「０」について、ＶＣ番号が「６５」「６６」に対して、設定帯域値ＢＥは、「１０００」「１０００」（単位はｋｂｐｓ）であることが分かる。
【０１０１】
また、帯域設定情報ＳＢとして、ノード番号、および回線収容帯域上限ＢＫＪが記録されている。回線収容帯域上限ＢＫＪは、当該ノードＮＥにおいて、ノードＮＥに収容されている回線（仮想パスおよび仮想チャネル）の設定帯域値ＢＥの合計の上限を示す。
【０１０２】
網状態チェック部２０３は、さらに、閾値データ格納部２５４から、「ＭＭＳ（０）、ＲＮＣ（０）、ＮＥ（０）」の閾値データＤ２５４を抽出する。閾値データＤ２５４として、限界閾値ＤＴＧおよび安全閾値ＤＴＡが含まれている。
【０１０３】
限界閾値ＤＴＧは、実績情報ＪＪである使用帯域値ＢＴが、この限界閾値ＤＴＧを越えているときに、その項目を含むノードＮＥまたは仮想チャネルＶＣをトラヒック量の増加が予想されるノードＮＥまたは仮想チャネルＶＣとして抽出するためのものである。
【０１０４】
ここでは、限界閾値ＤＴＧは、限界となる帯域値（限界帯域値）で示されるのでなく、設定帯域値ＢＥに対する割合（パーセント）で示される。つまり、ここでは、限界閾値ＤＴＧは「９０」パーセントとされている。したがって、設定帯域値ＢＥが例えば「１０００」であれば、限界帯域値は、１０００×０．９により、「９００」となる。
【０１０５】
なお、これらの閾値データＤ２５４は、局を建設したときに保守担当者が設定する。
【０１０６】
これらから、実績情報ＪＪに含まれるノードＮＥの仮想チャネルＶＣについての使用帯域値ＢＴ（実績帯域値）が、それに対応して設定された設定帯域値ＢＥおよび限界閾値ＤＴＧから求められる限界帯域値を越えているときに、当該仮想チャネルＶＣを対象チャネルとして抽出する。また、対象チャネルを含むノードＮＥを対象ノードとして抽出する。
【０１０７】
すなわち、網状態チェック部２０３が抽出した３種類の情報、つまり、統計情報Ｄ２５１から抽出した実績情報ＪＪとしての帯域値についての「最新値」、局設定情報Ｄ２５３から抽出した「設定帯域値ＢＥ」、および、閾値データＤ２５４から抽出した「限界閾値ＤＴＧ」の３つの情報を用いて、「最新値」が「設定帯域値ＢＥ」に対する「限界閾値ＤＴＧ」を越えていないかどうかをチェックする。
【０１０８】
例えば、ＶＰ番号「０」のＶＣ番号が「６５」「６６」については、それぞれの「最新値」は「９５０」「７００」であり（図３参照）、「設定帯域値ＢＥ」は「１０００」「１０００」であるので（図５参照）、「限界閾値ＤＴＧ」を「９０パーセント」とすると、限界となる帯域値はいずれも「９００」となる。したがって、ＶＣ番号「６５」については、使用帯域値ＢＴの最新値である「９５０」は限界閾値ＤＴＧを越えており（超過しており）、ＶＣ番号「６６」については限界閾値ＤＴＧを越えていないこととなる。
【０１０９】
このように、網状態チェック部２０３は状態チェックを行い、状態チェックの結果、超過していない場合は、「最適化不要」であると判断し、状態チェックの処理を終了し、統計情報管理部２０１に対して「最適化不要」を通知する。この場合に、統計情報管理部２０１は、無線アクセス網１における次の装置（局）の実績情報ＪＪの収集を開始する。
【０１１０】
状態チェックの結果、超過している場合は、「最適化要」であると判断し、超過している仮想チャネルＶＣを示す情報およびその「最新値」「設定帯域値ＢＥ」「限界閾値ＤＴＧ」を入力情報として、最適化制御部２０４を起動する。
【０１１１】
したがって、この例では、ＶＰ番号「０」、ＶＣ番号「６５」、「９５０」、「１０００」、「９０」を入力情報とすることになる。
〔３．局データの最適値の分析〕
最適化制御部２０４は、要最適化となった仮想チャネルＶＣ、その仮想チャネルＶＣについての帯域情報ＢＵ（図４参照）、その仮想チャネルＶＣが属する交換局ＭＭＳ、基地局制御装置ＲＮＣ、およびノードＮＥを特定する情報である装置情報、およびチェック対象項目を入力情報として、最適化分析部２０５を起動する。
【０１１２】
最適化分析部２０５は、実績情報ＪＪに基づいて、対象チャネルについて直近において使用帯域値ＢＴ（実績帯域値）が最も低い値ａとその後の最も高い値ｂとから帯域値の増加率ＲＵおよびその間の経過時間ＴＫを求め、求めた増加率ＲＵおよび経過時間ＴＫに対して、それ以前における実績情報ＪＪの中で最も類似する増加率ＲＵおよび経過時間ＴＫを抽出し、抽出した増加率ＲＵおよび経過時間ＴＫにおいて示された最大の帯域値を、最適帯域値ＢＳとする。
【０１１３】
すなわち、最適化分析部２０５は、入力された、ＭＭＳ（０）、ＲＮＣ（０）、ＮＥ（０）、ＶＰ番号「０」、ＶＣ番号「６５」、および、その帯域情報ＢＵから、過去２４時間の１時間ごとの平均値を取得し、取得した平均値から、直近においてＶＣ番号「６５」の使用帯域値ＢＴの一番低い値（ａ）とその時刻ＪＫａとを抽出し、一番低い値（ａ）と使用帯域値ＢＴの最新値（ｂ）とから、使用帯域値ＢＴの増加率ＲＵを算出する。つまり、増加率ＲＵを、
ＲＵ＝（ｂ−ａ）／ａ  
として求める〔図８（Ｂ）参照〕。
【０１１４】
また、最新値（ｂ）の時刻ＪＫｂと、ＶＣ番号「６５」の使用帯域値ＢＴが一番低い値（ａ）であったときの時刻ＪＫａとから、経過時間ＴＫを算出する。
【０１１５】
また、最適化制御部２０４は、算出した増加率ＲＵおよび経過時間ＴＫを入力として、過去最適値化情報Ｄ２５５を検索し、その中で増加率ＲＵと経過時間ＴＫとが最も近い帯域値を最適化情報として抽出する。抽出された最適化情報は、仮最適帯域値ＢＳＫとして用いられる。
【０１１６】
なお、仮最適帯域値ＢＳＫは、トラヒック量の増加が予想されるノードＮＥまたは仮想チャネルＶＣについての好ましい最適帯域値ＢＳであり、この仮最適帯域値ＢＳＫを吸収可能なノードＮＥまたは仮想チャネルＶＣが存在した場合に、この仮最適帯域値ＢＳＫは最適帯域値ＢＳとなる。
【０１１７】
図８（Ａ）に示すように、過去最適値化情報Ｄ２５５として、過去において使用帯域値ＢＴが増加したときの経過時間ＴＫＫ、増加率ＲＵＫ、およびそのときに設定された帯域値が、データベースとして記録されている。このような過去の実績情報ＪＪに基づいて、最適帯域値ＢＳを決定するのである。
【０１１８】
なお、本実施例の場合は、抽出された帯域値の最適化情報は「１１４０」であるとし、これを後の仮最適帯域値ＢＳＫとして用いる。しかし、仮最適帯域値ＢＳＫを決定するために、これ以外の種々の方法または統計手法を用いて算出してもよい。
【０１１９】
また、現在設定されている設定帯域値ＢＥと仮最適帯域値ＢＳＫとの差である差分帯域値ＢＮを求めておく。ここでの例では、設定帯域値ＢＥである「１０００」と仮最適帯域値ＢＳＫである「１１４０」との差を、１１４０−１０００＝１４０として求め、「１４０」を差分帯域値ＢＮとする。
【０１２０】
なお、過去最適値化情報Ｄ２５５において、増加率ＲＵとして、経過時間ＴＫＫにおいて増加した率を用いてもよく、また、経過時間ＴＫＫにおける単に時間当たりに増加した率を用いてもよい。
〔４．最適値の設定の可不可チェック〕
最適化分析部２０５は、局設定情報Ｄ２５３を、ＭＭＳ（０）、ＲＮＣ（０）、ＮＥ（０）でインデックスし、回線収容帯域上限ＢＫＪを抽出する。また、ＶＰ番号「０」の配下の全ての仮想チャネルＶＣに対応して設定されている設定帯域値ＢＥの合計値（ＡＬＬ−ＶＣ）である合計帯域値ＢＧＣを算出する。
【０１２１】
ただし、合計帯域値ＢＧＣの算出に当たって、ＶＣ番号「６５」の仮想チャネルＶＣについては、仮最適帯域値ＢＳＫである「１１４０」を設定帯域値ＢＥとして用いて算出する。
【０１２２】
算出した合計帯域値ＢＧＣと回線収容帯域上限ＢＫＪとを比較する。合計帯域値ＢＧＣが回線収容帯域上限ＢＫＪを越えている場合は、「ＮＥ（０）帯域値確保不可」を、イベント情報制御部２０９に通知する。合計帯域値ＢＧＣが回線収容帯域上限ＢＫＪを越えていない場合は、最適化分析部２０５は、局設定情報Ｄ２５３に基づいて基地局制御装置ＲＮＣ（０）の最大収容帯域を抽出する。
【０１２３】
また、最適化分析部２０５は、局設定情報Ｄ２５３から基地局制御装置ＲＮＣ（０）の配下の各ノードＮＥについてそれぞれの合計帯域値ＢＧＣを算出し、これから全てのノードＮＥについての合計値（ＡＬＬ−ＮＥ）である合計帯域値ＢＧＮを算出する。
【０１２４】
ただし、合計帯域値ＢＧＮの算出に当たって、ノードＮＥ（０）の合計帯域値ＢＧＣについては、ＶＣ番号「６５」の仮想チャネルＶＣの分として仮最適帯域値ＢＳＫである「１１４０」を設定帯域値ＢＥとして用いて算出した値を適用する。
【０１２５】
算出した合計帯域値ＢＧＮと基地局制御装置ＲＮＣ（０）の最大収容帯域とを比較する。合計帯域値ＢＧＮが基地局制御装置ＲＮＣ（０）の最大収容帯域を越えている場合は、「ＲＮＣ（０）帯域値確保不可」を、イベント情報制御部２０９に通知する。
【０１２６】
先に比較した回線収容帯域上限ＢＫＪおよび基地局制御装置ＲＮＣ（０）の最大収容帯域のいずれについても合計帯域値ＢＧＣ，ＢＧＮをそれぞれ越えていない場合は、最適化分析部２０５は、ＶＣ番号「６５」の仮最適帯域値ＢＳＫである「１１４０」、ＭＭＳ（０）、ＲＮＣ（０）、ＶＰ番号「０」、ＶＣ番号「６５」を入力情報として、余剰帯域分析部２０６を起動する。
〔５．余裕装置のチェック〕
余剰帯域分析部２０６は、入力情報のＶＣ番号「６５」の仮最適帯域値ＢＳＫである「１１４０」、ＭＭＳ（０）、ＲＮＣ（０）、ＶＰ番号「０」を用いて、局設定情報Ｄ２５３に基づき、ＶＰ番号「０」の仮想チャネルＶＣごとの帯域設定情報ＳＢ（図５参照）を抽出する。
【０１２７】
次に、余剰帯域分析部２０６は、ＭＭＳ（０）、ＲＮＣ（０）、ＶＰ番号「０」を入力情報として、統計情報Ｄ２５１に基づき、ＭＭＳ（０）、ＲＮＣ（０）、ＶＰ番号「０」のＶＣ番号「６５」以外の仮想チャネルＶＣごとに、最新の使用帯域値ＢＴを抽出する（図３および図４参照）。
【０１２８】
また、余剰帯域分析部２０６は、閾値データＤ２５４から、ＭＭＳ（０）、ＲＮＣ（０）の安全閾値ＤＴＡを抽出する。
【０１２９】
ここで、安全閾値ＤＴＡは、統計情報から抽出した最新の使用帯域値ＢＴにこの安全閾値ＤＴＡに相当する増分を確保することによって輻輳状態を回避できる可能性が高くなるような値である。
【０１３０】
ここでは、安全閾値ＤＴＡは、使用帯域値ＢＴに対する割合（パーセント）で示される。つまり、ここでは、安全閾値ＤＴＡは「２０」パーセントとされている。したがって、使用帯域値ＢＴが例えば「７００」であれば、７００×０．２により、「１４０」が増分として求められ、設定帯域値ＢＥを「８４０」（＝７００＋１４０）とした場合には、輻輳状態を回避できる可能性が高くなる、と言えるのである。
【０１３１】
抽出した３種類の情報、つまり、局設定情報Ｄ２５３から抽出した仮想チャネルＶＣごとの帯域設定情報ＳＢ、統計情報Ｄ２５１から抽出した仮想チャネルＶＣごとの最新の使用帯域値ＢＴ、および安全閾値ＤＴＡを用いて、仮想チャネルＶＣごとの余剰帯域ＢＹを算出する。
【０１３２】
具体例をあげると次のとおりである。
（１）  局設定情報Ｄ２５３から抽出したＶＣ番号「６６」の帯域設定情報ＳＢである「１０００」
（２）  統計情報Ｄ２５１から抽出したＶＣ番号「６６」の最新の使用帯域値ＢＴである「７００」
（３）  安全閾値ＤＴＡである「２０」パーセント
この場合に、ＶＣ番号「６６」の余剰帯域ＢＹは、
１０００−（７００＋７００×０．２）＝１６０〔ｋｂｐｓ〕
となる。
【０１３３】
また、上に述べたように、ＶＣ番号「６５」については、仮最適帯域値ＢＳＫが「１１４０」、設定帯域値ＢＥが「１０００」、その差分帯域値ＢＮは「１４０」である。したがって、仮最適帯域値ＢＳＫである「１１４０」をＶＣ番号「６５」の設定帯域値ＢＥとして設定するためには、差分帯域値ＢＮの「１４０」を他の仮想チャネルＶＣの設定帯域値ＢＥから削減する必要がある。
【０１３４】
本実施例においては、ＶＣ番号「６６」の余剰帯域ＢＹが「１６０」であるから、これを削減してその分をＶＣ番号「６５」に充填することによって、ＶＣ番号「６５」の設定帯域値ＢＥに「１１４０」を設定することができる。
【０１３５】
したがって、ＶＣ番号「６６」については、仮最適帯域値ＢＳＫである「１１４０」を最適帯域値ＢＳとすることができる。
【０１３６】
その場合に、ＶＣ番号「６５」の設定帯域値ＢＥは、
１０００−１４０＝８６０〔ｋｂｐｓ〕
となる。結局、
ＭＭＳ（０）、ＲＮＣ（０）、ＮＥ（０）、ＶＰ番号「０」、ＶＣ番号「６５」については、「１１４０」を、
ＭＭＳ（０）、ＲＮＣ（０）、ＮＥ（０）、ＶＰ番号「０」、ＶＣ番号「６６」については、「８６０」を、
それぞれ設定帯域値ＢＥとして設定することとなる。
【０１３７】
余剰帯域分析部２０６は、先に求めた設定帯域値ＢＥを、最適化分析部２０５に通知する。最適化分析部２０５は、その設定帯域値ＢＥを入力として局データ生成部２２０を起動する。
【０１３８】
もし、ＶＣ番号「６６」の余剰帯域ＢＹのみではＶＣ番号「６５」による差分帯域値ＢＮを確保できなかった場合には、次のＶＣ番号「６７」からＶＣ番号の最大値までの余剰帯域ＢＹを分析する。
【０１３９】
ただし、その場合に、仮想チャネルＶＣはユーザ用チャネルのみから求め、制御用チャネルからは求めない。ユーザ用チャネルであるか制御用チャネルであるかを判別するために、図１２に示す仮想チャネル管理情報ＫＣが用いられる。
【０１４０】
図１２の仮想チャネル管理情報ＫＣによると、フラグが「０」であるＶＣ番号は制御用であり、フラグが「１」であるＶＣ番号はユーザ用である。したがって、フラグが「１」であるＶＣ番号のみを用いて、輻輳状態を回避するための最適化を行うのである。
【０１４１】
さらに、当該ノードＮＥにおける全ての仮想チャネルＶＣについての余剰帯域ＢＹを合計しても足りなかった場合には、余剰帯域分析部２０６は、「余剰不足」であると判断し、最適化分析部２０５に通知する。
【０１４２】
最適化分析部２０５は、保守端末アクセス部２３０を経由し、保守端末１３に対して、ＶＣ番号「６５」の最適帯域値ＢＳを示す情報である、ＭＭＳ（０）、ＲＮＣ（０）、ＮＥ（０）、ＶＰ番号「０」、ＶＣ番号「６５」、「１１４０」を送信する。
〔６．最適帯域値の確保〕
最適化分析部２０５から「ＮＥ（０）帯域確保不可」を通知されたイベント情報制御部２０９は、図１１（Ａ）に示す分析順装置番号表ＨＪ１に基づいて、ＭＭＳ（０）、ＲＮＣ（０）、ＮＥ（０）の次であるＭＭＳ（０）、ＲＮＣ（０）、ＮＥ（１）を抽出し、それを仮最適帯域値ＢＳＫの「１１４０」とともに入力情報として、最適化分析部２０５を起動する。
【０１４３】
なお、分析順装置番号表ＨＪには、例えば、対象となるノードＮＥに対して、直線距離の近いノードＮＥの順に登録が行われる。
【０１４４】
同様に、最適化分析部２０５から「ＲＮＣ（０）帯域確保不可」を通知されたイベント情報制御部２０９は、図１１（Ｂ）に示す分析順装置番号表ＨＪ２に基づいて、ＭＭＳ（０）、ＲＮＣ（０）の次であるＭＭＳ（０）、ＲＮＣ（１）を抽出し、それを仮最適帯域値ＢＳＫの「１１４０」とともに入力情報として、最適化分析部２０５を起動する。
【０１４５】
このように、イベント情報制御部２０９は、ノードＮＥで帯域値を確保できるまで、または分析順装置番号表ＨＪに登録されている全てのノードＮＥで最適値の設定の可不可チェックを行った結果が「帯域確保不可」となった場合に、保守端末アクセス部２３０を経由し、保守端末１３に対して、「イベント情報」および「帯域確保不可」を通知する。
〔７．局データの生成〕
最適化分析部２０５から起動された局データ生成部２２０は、既存処理で局データＤＮを生成する。生成された局データＤＮは、既存処理によって、ＯＰＳアクセス部２１５からネットワーク監視システム１１の局データ生成システムアクセス部１０４へ送信され、局データ転送部１０３および無線アクセス網アクセス部１０１を経由して、対象の装置、ここでは対象ノードであるノードＮＥ（０）に送信される。ノードＮＥ（０）では、送信された局データＤＮを受信し、これによって局データＤＮを更新する。
【０１４６】
このように、無線アクセス網１における実績情報ＪＪをリアルタイムで収集し、現時点で設定されている局データＤＮと比較し、それらに基づいて、トラヒック量の増加が予想されるノードまたはチャネル（仮想チャネル）、およびトラヒック量に余裕のあるノードまたはチャネル（仮想チャネル）を抽出し、トラヒック量の変動を反映して最適化された局データＤＮを生成するのである。
【０１４７】
これによって、無線アクセス網１のネットワーク側からの通知やトラヒック情報に基づいて最適な局データＤＮを自動的に生成し、生成した局データＤＮのファイルをリアルタイムに無線アクセス網１にフィードバックすることができる。したがって、無線アクセス網１において突発的または一時的な要因によって輻輳状態の発生するのが回避され、または輻輳状態の発生が可及的に防止されるのである。
【０１４８】
また、無線アクセス網１への加入者数および通信トラヒックの増加に追随して、ノードＮＥの収容数の増加および使用帯域値ＢＴの変更をリアルタイムで反映することができるので、常に安定した回線品質のサービスを提供することが可能となる。
【０１４９】
また、数万局を越えるノードＮＥに対して、ノードＮＥの収容数や設定帯域値ＢＥの変更のための作業を、保守担当者が保守端末１３を操作して行う必要がなくなるので、正確かつ迅速な局データＤＮの設定または更新を行うことが可能となり、保守担当者の負担を軽減することが可能となる。
【０１５０】
また、上に述べたように、保守網２において最適化の処理を自動的に行うのではなく、処理の選択を行うための画面を表示装置の表示面に適宜表示することによって、自動設定による固定的なデータ設定だけではなく、保守担当者の手作業によってデータ選択に対する融通性を持たせることが可能となる。その場合の選択画面として、例えば、最適化可能範囲のデータを複数表示することとしてよい。
〔８．イベントへの対応〕
次に、イベントが開催された場合の局データＤＮの最適化について説明する。ここでは、イベントとして花火大会が開催される場合を例にあげて説明する。
【０１５１】
花火大会などのイベントが開催されると、一部の地域に人が集中し、携帯電話のつながりが悪くなる。しかし、イベントの場合には、開催場所、、催日時、および人出予想などの情報を事前に入手することができる。したがって、イベントに関する既知情報を入力することにより、関係する装置の局データＤＮを事前に変更し、輻輳状態の発生を緩和することができる。
【０１５２】
例えば、イベントの開催場所に対応して、局データＤＮを変更する対象装置を決定する。また、イベントの人出予想に基づいて、変更する設定帯域値ＢＥを決定する。また、イベントの開催日時に基づいて、局データＤＮの更新日時を決定する。
【０１５３】
以下の例においても、ＭＭＳ（０）、ＲＮＣ（０）の配下のノードＮＥの設定帯域値ＢＥを拡張する場合を例として説明する。
〔９．イベント情報設定と局データ生成要求〕
保守担当者は、保守端末１３から、イベント情報として、イベント名、開始日時、終了日時、開催場所（住所）、人出予想人数、および局データ生成日時を入力する。
【０１５４】
保守端末１３のＨＭＩ３０１は、入力されたイベント情報を入力として、イベント情報管理部３０２を起動する。イベント情報管理部３０２は、開催場所から、開催場所の位置情報（北緯／南緯／東経／西経）を求める。開催場所の位置情報は、例えば既存のアプリケーションソフトを起動し、住所情報から求めることが可能である。
【０１５５】
求めた位置情報およびイベント情報を、イベント情報Ｄ３５１として記録する（図９参照）。
【０１５６】
図９において、イベント情報Ｄ３５１は、イベント名、開催地（開催場所）、開催日時（開始日時）、人出予想人数、位置情報、タスク起動日時（タスク起動時）などの項目を有する。
【０１５７】
また、イベント情報管理部３０２は、「タスク起動日時＝局データ生成日時」、「タスク起動プログラム＝局データ生成要求部３０４」を入力情報として、タスク管理部３０３を起動する。なお、タスク管理部３０３はＯＳに備えられた機能である。
【０１５８】
なお、タスク起動日時は、イベントの開始日時よりも１時間または３０分程度早い時刻とするのが好ましいので、保守担当者が局データ生成日時を入力する際に、イベントの開始日時を考慮して設定しておく。
【０１５９】
タスク管理部３０３は、イベント情報Ｄ３５１に記録されたタスク起動日時になると、局データ生成要求部３０４を起動する。局データ生成要求部３０４は、イベント情報Ｄ３５１を、「局データ生成日時」をキーとして検索し、局データ生成を要求する情報を収集する（図９参照）。
【０１６０】
そして、収集した情報を入力として、局データ生成システムアクセス部３１０、保守端末アクセス部２３０を経由し、イベント情報制御部２０９を起動する。
〔１０．最適帯域値の導出〕
イベント情報制御部２０９は、開催場所の位置情報（北緯／南緯／東経／西経）を入力として、位置情報分析部２１１を起動する。位置情報分析部２１１は、図６の局設定情報Ｄ２５３に含まれる各位置情報（北緯／南緯／東経／西経）ＬＮを比較し、開催場所の位置情報に近い順に装置（ノードＮＥ）を記載した分析順装置番号表ＨＪ（図１１参照）を作成し、イベント情報制御部２０９に返す。ただし、分析順装置番号表ＨＪに登録されるノードＮＥは、同一の基地局制御装置ＲＮＣの配下のノードＮＥのみとする。
【０１６１】
次に、イベント情報制御部２０９は、イベント名および人出予想人数を入力として、イベント情報分析部２１０を起動する。イベント情報制御部２０９は、イベント名をキーとして、図１０のイベント実績情報Ｄ２５６を検索し、同じイベントで用いられた設定帯域値である実績帯域値ＢＪを抽出する。なお、実績帯域値ＢＪは、そのイベントにおいて設定帯域値ＢＥのうちの最大の値である。この例では、実績帯域値ＢＪは「１１００」である。
【０１６２】
なお、イベント実績情報Ｄ２５６は、過去のイベントにおける実績値に基づいて、保守担当者が設定したものである。
【０１６３】
次に、イベント情報Ｄ３５１に記録された今回のイベントの人出予想人数と、イベント実績情報Ｄ２５６に記録された過去のイベントの実績の人出情報とを比較し、人出予想人数の人出情報（実績）に対する割合（差分率）を算出する。算出した差分率は、例えばイベント情報分析部２１０のメモリに記憶される。
【０１６４】
図９および図１０の例では、人出予想人数が「５００００」人、人出情報（実績）が「４８０００」人であるから、差分率は１０３（＝１００×５００００／４８０００）パーセントとなる。
【０１６５】
そして、抽出した実績帯域値ＢＪを差分率で補正し、最適帯域値ＢＳを求める。ここでは、実績帯域値ＢＪが「１１００」、差分率が１０３％であるので、最適帯域値ＢＳは、１１００×１．０３＝１１３３となる。
【０１６６】
そこで、最適帯域値ＢＳ＝「１１３３」として、イベント情報制御部２０９に返す。もし同じイベントを検出できなかった場合には、人出予想人数に一番近い人出情報（実績）を抽出し、それに基づいて差分率を求めて補正を行い、最適帯域値ＢＳを求める。
〔１１．最適帯域値の確保その２〕
イベント情報制御部２０９は、分析順装置番号表ＨＪから、開催場所の位置情報に近い装置情報を抽出し、これを最適帯域値ＢＳである「１１３３」とともに入力情報とし、最適化分析部２０５を起動する。その後、上に述べた〔４．最適値の設定の可不可チェック〕から〔７．局データの生成〕までに述べた処理を実行して終了する。
【０１６７】
イベント情報制御部２０９から起動された最適化分析部２０５は、〔４．最適値の設定の可不可チェック〕において述べた「帯域確保不可」と判断した場合に、イベント情報制御部２０９に「帯域確保不可」を通知する。「帯域確保不可」を通知されたイベント情報制御部２０９は、分析順装置番号表ＨＪから、当該ノードＮＥの次のノードＮＥを抽出し、これを最適帯域値ＢＳである「１１３３」とともに入力情報とし、最適化分析部２０５を起動する。
【０１６８】
同様に、最適化分析部２０５から例えば「ＲＮＣ（０）帯域確保不可」を通知されたイベント情報制御部２０９は、分析順装置番号表ＨＪから、ＲＮＣ（０）の次のＲＮＣ（１）を抽出し、これを最適帯域値ＢＳである「１１３３」とともに入力情報とし、最適化分析部２０５を起動する。
【０１６９】
このように、イベント情報制御部２０９は、ノードＮＥにおいて必要な帯域値を確保できるまで、または分析順装置番号表ＨＪに登録されている全てのノードＮＥで最適値の設定の可不可チェックを行った結果が「帯域確保不可」となった場合に、保守端末１３に対して「イベント情報」および「帯域確保不可」を通知する。
〔フローチャートによる説明〕
次に、局データ生成システム１２における局データＤＮの最適化のための処理または動作を、フローチャートを用いて説明する。
【０１７０】
図１４は局データ生成システム１２における局データの最適化処理の概略の流れを示すフローチャートである。
【０１７１】
図１４において、無線アクセス網１における運用状況の実績を示す実績情報ＪＪを取得し（＃１１）、無線アクセス網１における各ノードに対して設定された局データＤＮである設定データＤＮＳを取得する（＃１２）。
【０１７２】
実績情報ＪＪと設定データＤＮＳとに基づいて、対象装置つまりトラヒック量の増加が予想されるノードまたはチャネルを抽出し（＃１３）、余裕装置つまりトラヒック量に余裕のあるノードまたはチャネルを抽出する（＃１４）。
【０１７３】
抽出した対象装置および余裕装置に対して、トラヒック量の変動を反映して最適化された局データＤＮを生成し（＃１５）、生成した局データＤＮをそれぞれの装置に転送して更新する（＃１６）。
【０１７４】
図１５は局データ生成システム１２における設定帯域値ＢＥの最適化処理の概略の流れを示すフローチャートである。
【０１７５】
図１５において、無線アクセス網１における運用状況の実績を示す実績情報ＪＪを取得し（＃２１）、無線アクセス網１における各ノードに対して設定された局データＤＮである設定データＤＮＳを取得する（＃２２）。
【０１７６】
実績情報ＪＪに含まれるノードのチャネルについての実績帯域値ＢＪが、それに対応して設定された設定帯域値ＢＥおよび限界閾値ＤＴＧから求められる限界帯域値を越えているときに、当該チャネルを対象チャネルとして抽出するとともに、対象チャネルを含むノードを対象ノードとして抽出する（＃２３）。
【０１７７】
対象チャネルについて、最適値として設定すべき帯域値である最適帯域値ＢＳまたは当該最適帯域値ＢＳと設定帯域値ＢＥとの差である差分帯域値ＢＮを決定する（＃２４）。
【０１７８】
対象ノードに含まれるチャネルの中から、実績情報ＪＪ、および、予め設定された設定帯域値ＢＥおよび安全閾値ＤＴＡから求められる帯域値の余裕量が差分帯域値ＢＮを越えるチャネルを余裕チャネルとして抽出する（＃２５）。
【０１７９】
抽出した対象チャネルおよび余裕チャネルについての帯域値を変更して最適化するための局データＤＮを生成する（＃２６）。生成した局データＤＮをそれぞれの装置に転送し（＃２７）、更新する（＃２８）。
【０１８０】
図１６は移動体通信ネットワークシステムＮＳの運用例を示すフローチャートである。
【０１８１】
図１６において、運用設備計画情報などに基づいて、基地局制御装置ＲＮＣまたはノードＮＥなどの局（装置）を増設する（＃３１）。既設の局の設定帯域値ＢＥを参照して、増設局における設定帯域値ＢＥの適正値を算出し、それを増設局の最最適帯域値ＢＳとして入力する（＃３２）。入力された最適帯域値ＢＳについて、増設局における妥当性をチェックする（＃３３）。ステップ＃３３では、例えば、最適帯域値ＢＳを設定した場合に回線や局などの各装置または全体の装置において設定可能な最大値を越えないかどうかなどがチェックされる。
【０１８２】
チェックの結果が妥当であった場合に（＃３４でイエス）、最適帯域値ＢＳに基づいて、増設局の局データＤＮを作成する（＃３５）。生成した局データＤＮについて、増設局および既設局を含めて、その妥当性をチェックする（＃３６）。
【０１８３】
ステップ＃３７でのチェックの結果が妥当であった場合に（＃３７でイエス）、局データＤＮの作成を完了とし（＃３８）、その局データＤＮを、局データ転送機能によって、ネットワーク装置のファイルサーバに転送し、ネットワーク装置において局データＤＮを更新する（＃３９）。
【０１８４】
ステップ＃３４またはステップ＃３７でノーであった場合には、ステップ＃３２に戻り、再度、既設の局の設定帯域値ＢＥを参照して増設局における設定帯域値ＢＥの適正値を算出する。
【０１８５】
なお、ステップ＃３２における入力は保守担当者が行ってもよい。
【０１８６】
図１７は局データ生成システム１２における局データＤＮの最適化処理の流れの他の例を示すフローチャートである。
【０１８７】
図１７において、無線アクセス網１の実績情報ＪＪを収集し（＃４１）、無線アクセス網１の状態をチェックする（＃４２）。局データＤＮの最適値の分析を行い（＃４３）、最適値の設定の可不可チェックを行い（＃４４）、余裕装置のチェックを行い（＃４５）、局データの生成を行い（＃４６）、局データＤＮの転送および更新を行う（＃４７）。
【０１８８】
図１８は保守網２における帯域値の局データＤＮの最適化処理の流れの例を示すフローチャートである。
【０１８９】
図１８において、ネットワーク監視システム１１は、既存処理によって、無線アクセス網１の状態を収集し、網情報Ｄ１５１として蓄積している（＃５１）。
【０１９０】
統計情報管理部２０１は、今回においてチェック対象となる装置（ノードＮＥ）についての網情報Ｄ１５１を、ネットワーク監視システム１１から取得し、統計情報Ｄ２５１として格納する（＃５２）。
【０１９１】
網状態チェック部２０３は、統計情報Ｄ２５１の中からチェック対象項目である使用帯域値ＢＴを抽出し、限界閾値ＤＴＧで示される限界帯域値を越えていないかどうかをチェックする（＃５３）。
【０１９２】
使用帯域値ＢＴが限界帯域値を越えていないときは（＃５４でイエス）、統計情報管理部２０１に対して「最適化不要」を通知し（＃５５）、ステップ＃５２に戻る。
【０１９３】
使用帯域値ＢＴが限界帯域値を越えているときは（＃５４でノー）、最適化制御部２０４を起動する（＃５６）。
【０１９４】
最適化制御部２０４は、使用帯域値ＢＴについての増加率ＲＵを求め、過去最適値化情報Ｄ２５５を検索し、その中で増加率ＲＵが最も近い帯域値を最適化情報として抽出する（＃５７）。最適化情報は仮最適帯域値ＢＳＫとなる。
【０１９５】
そして、仮最適帯域値ＢＳＫと、現在設定されている局設定情報Ｄ２５３に含まれる設定帯域値ＢＥとの差である差分帯域値ＢＮを求める（＃５８）。
【０１９６】
チェック対象のノードＮＥについて、差分帯域値ＢＮをも加えた設定帯域値ＢＥの合計値（ＡＬＬ−ＶＣ）である合計帯域値ＢＧＣを算出し、合計帯域値ＢＧＣと回線収容帯域上限ＢＫＪとを比較する（＃５９）。
【０１９７】
合計帯域値ＢＧＣが回線収容帯域上限ＢＫＪを越えているときは（＃６０でノー）、「帯域値確保不可」を通知し（＃６１）、ステップ＃５２に戻る。
【０１９８】
合計帯域値ＢＧＣが回線収容帯域上限ＢＫＪを越えていないときは（＃６０でイエス）、チェック対象のノードＮＥの上位の基地局制御装置ＲＮＣについて、合計帯域値ＢＧＮを算出し、合計帯域値ＢＧＮと基地局制御装置ＲＮＣの最大収容帯域とを比較する（＃６２）。
【０１９９】
合計帯域値ＢＧＮが基地局制御装置ＲＮＣの最大収容帯域を越えているときは（＃６３でノー）、「帯域値確保不可」を通知し（＃６４）、ステップ＃５２に戻る。
【０２００】
帯域設定情報ＳＢ、使用帯域値ＢＴ、および安全閾値ＤＴＡを用いて、余剰帯域ＢＹを算出し、算出した余剰帯域ＢＹによって差分帯域値ＢＮを吸収できるかどうかをチェックする。吸収できる場合に、仮最適帯域値ＢＳＫを最適帯域値ＢＳとする（＃６５）。最適帯域値ＢＳを用いて局データＤＮを作成する（＃６６）。
【０２０１】
図１９はイベントの開催に対応した局データの最適化処理の流れを示すフローチャートである。
【０２０２】
図１９において、保守担当者が保守端末１３からイベント情報を入力し、イベントの開催場所の位置情報を求め、タスク起動時を設定する（＃７１）。
【０２０３】
開催場所の位置情報に近い順の装置を示す分析順装置番号表ＨＪを作成する（＃７２）。
【０２０４】
過去のイベントの中から今回のイベントの内容に近いイベントを抽出し、そこでの使用帯域値ＢＴから最適帯域値ＢＳを求める（＃７３）。
【０２０５】
求めた最適帯域値ＢＳが設定可能かどうかをチェックする（＃７４）。ステップ＃７４においては、図１８に示すステップ＃６５およびステップ＃６６と同じ処理を実行する。また、ステップ＃７４において、ステップ＃５８からステップ＃６６までの処理と同じ処理を実行してもよい。その場合に、決定されたタスク起動時間が到達した後に、ステップ＃６５およびステップ＃６６と同じ内容の処理を行うようにする。
【０２０６】
もし、「帯域確保不可」となった場合には、開催場所の位置情報に近い装置を分析順装置番号表ＨＪから順に抽出し、全ての装置について同様の処理を実行する（＃７５）。ステップ＃７５において、全ての装置について「帯域確保不可」となった場合には、保守端末１３に対して「帯域確保不可」を通知する。
【０２０７】
上に述べた実施形態および実施例において、使用帯域値ＢＴ、設定帯域値ＢＥ、差分帯域値ＢＮ、限界閾値ＤＴＧ、安全閾値ＤＴＡ、その他の値として用いた数値は一例であり、それら以外の種々の値とすることができる。
【０２０８】
上に述べた実施形態および実施例において、ステップ＃１１、２１、４１、５２が、本発明における第１の処理に相当する。ステップ＃１２、２２、４２、５３が、本発明における第２の処理に相当する。ステップ＃１３、２３、４２、５４が、本発明における第３の処理に相当する。ステップ＃２４、４５が、本発明における第４の処理に相当する。ステップ＃１４、２５、４５、６５が、本発明における第５の処理に相当する。ステップ＃１５、２６、４６、６６が、本発明における第６の処理に相当する。
【０２０９】
上に述べた実施形態および実施例において、ネットワーク監視システム１１、局データ生成システム１２、保守端末１３、保守網２、または無線アクセス網１などの全体または各部の構成、機能、処理内容または順序、処理のタイミング、項目、値、個数、配置などは、本発明の趣旨に沿って適宜変更することができる。
【０２１０】
本実施形態には次に記載する形態も含まれる。
（付記１）
移動体通信ネットワークにおける局データの最適化を行うためのコンピュータプログラムにおいて、
当該移動体通信ネットワークにおける運用状況の実績を示す実績情報を取得する処理と、
当該移動体通信ネットワークにおける各ノードに対して設定された局データである設定データを取得する処理と、
前記実績情報と前記設定データとに基づいて、トラヒック量の増加が予想されるノードまたはチャネルおよびトラヒック量に余裕のあるノードまたはチャネルを抽出する処理と、
抽出したノードまたは抽出したチャネルを含むノードに対して、前記トラヒック量の変動を反映して最適化された局データを生成する処理と、
生成した局データをそれぞれのノードでの更新のために転送する処理と、
をコンピュータに実行させることを特徴とするコンピュータプログラム。
（付記２）
前記抽出する処理には、
前記実績情報に含まれる項目のデータが、当該項目について予め設定された限界閾値を越えているときに、その項目を含むノードまたはチャネルをトラヒック量の増加が予想されるノードまたはチャネルとして抽出する処理と、
トラヒック量の増加が予想されるノードまたはチャネルとして抽出されたノードまたはチャネルにおけるトラヒック量の増加量を吸収可能なノードまたはチャネルを前記トラヒック量に余裕のあるノードとして抽出する処理とを含む、
付記１記載のコンピュータプログラム。
（付記３）
前記移動体通信ネットワークの存在する地域内においてイベントが予定されている場合に、そのイベントの開催時間に基づいてタスク起動時間を決定し、決定されたタスク起動時間が到達した後に、少なくとも前記転送する処理を実行する、
付記１または２記載のコンピュータプログラム。
（付記４）
移動体通信ネットワークにおける局データの最適化を行うためのコンピュータプログラムにおいて、
当該移動体通信ネットワークにおける運用状況の実績を示す実績情報を取得する第１の処理と、
当該移動体通信ネットワークにおける各ノードに対して設定された局データである設定データを取得する第２の処理と、
前記実績情報に含まれるノードのチャネルについての実績帯域値が、それに対応して設定された設定帯域値および限界閾値から求められる限界帯域値を越えているときに、当該チャネルを対象チャネルとして抽出するとともに、前記対象チャネルを含むノードを対象ノードとして抽出する第３の処理と、
前記対象チャネルについて、最適値として設定すべき帯域値である最適帯域値または当該最適帯域値と前記設定帯域値との差である差分帯域値を決定する第４の処理と、
前記対象ノードに含まれるチャネルの中から、前記実績情報、および、予め設定された設定帯域値および安全閾値から求められる帯域値の余裕量が前記差分帯域値を越えるチャネルを余裕チャネルとして抽出する第５の処理と、
抽出した前記対象チャネルおよび前記余裕チャネルについての帯域値を変更して最適化するための局データを当該ノードでの更新のために生成する第６の処理と、
をコンピュータに実行させることを特徴とするコンピュータプログラム。
（付記５）
前記第４の処理において、
前記実績情報に基づき、前記対象チャネルについて直近において実績帯域値が最も低い値ａとその後の最も高い値ｂとから帯域値の増加率およびその間の経過時間を求め、
求めた増加率および経過時間に対して、それ以前における前記実績情報の中で最も類似する増加率および経過時間を抽出し、抽出した増加率および経過時間において示された最大の帯域値を、前記最適帯域値とする、
付記４記載のコンピュータプログラム。
（付記６）  
前記第４の処理は、
前記差分帯域値を決定した後において行われる、前記対象ノードに設定されている局データにおける帯域値の合計に当該差分帯域値を加えた値が当該対象ノードにおける回線収容帯域値の上限値を越えていないかどうかをチェックする第１チェック処理を含む、
付記４または５記載のコンピュータプログラム。
（付記７）
前記第４の処理は、
前記第１チェック処理の後において行われる、前記対象ノードの上位ノードの配下にある全てのノードに設定されている局データにおける帯域値の合計に当該差分帯域値を加えた値が前記上位ノードにおける回線収容帯域値の上限値を越えていないかどうかをチェックする第２チェック処理を含む、
付記６記載のコンピュータプログラム。
（付記８）
前記対象ノードの上位ノードの配下にある当該対象ノードを除く全てのノードについて、当該対象ノードに地理的に近い順を示す分析順装置表を作成する処理と、
前記第５の処理において前記余裕チャネルを抽出できなかった場合に、前記分析順装置表で示される順で決定されるノードに含まれるチャネルの中から、前記余裕チャネルを抽出する処理とを含む、
付記４または５記載のコンピュータプログラム。
（付記９）
前記移動体通信ネットワークの存在する地域内においてイベントが予定されている場合に、そのイベントの開催時間に基づいてタスク起動時間を決定し、決定されたタスク起動時間が到達した後に、前記第５の処理および第６の処理を実行する、
付記４記載のコンピュータプログラム。
（付記１０）
移動体通信ネットワークにおける局データの最適化を行う方法において、
当該移動体通信ネットワークにおける運用状況の実績を示す実績情報を取得し、
当該移動体通信ネットワークにおける各ノードに対して設定された局データである設定データを取得し、
前記実績情報と前記設定データとに基づいて、トラヒック量の増加が予想されるノードまたはチャネルおよびトラヒック量に余裕のあるノードまたはチャネルを抽出し、
抽出したノードまたは抽出したチャネルを含むノードに対して、前記トラヒック量の変動を反映して最適化された局データを生成し、
生成した局データをそれぞれのノードでの更新のために転送する、
ことを特徴とする移動体通信ネットワークにおける局データの最適化方法。
（付記１１）
移動体通信ネットワークにおける局データの最適化を行う装置において、
当該移動体通信ネットワークにおける運用状況の実績を示す実績情報を取得する手段と、
当該移動体通信ネットワークにおける各ノードに対して設定された局データである設定データを取得する手段と、
前記実績情報と前記設定データとに基づいて、トラヒック量の増加が予想されるノードまたはチャネルおよびトラヒック量に余裕のあるノードまたはチャネルを抽出する手段と、
抽出したノードまたは抽出したチャネルを含むノードに対して、前記トラヒック量の変動を反映して最適化された局データを生成する手段、
生成した局データをそれぞれのノードでの更新のために転送する手段と、
を有することを特徴とする移動体通信ネットワークにおける局データの最適化装置。
【図面の簡単な説明】
【０２１１】
【図１】移動体通信ネットワークシステムの全体の構成の概要を示す図である。
【図２】保守網における各システムの構成を示すブロック図である。
【図３】網情報格納部に格納された網情報の例を示す図である。
【図４】統計情報格納部に格納された統計情報の例を示す図である。
【図５】帯域値についての局設定情報の例を示す図である。
【図６】位置情報についての局設定情報の例を示す図である。
【図７】閾値データ格納部に格納された閾値データの例を示す図である。
【図８】過去最適値化情報格納部に格納された過去最適値化情報の例を示す図である。
【図９】イベント情報格納部に格納されたイベント情報の例を示す図である。
【図１０】イベント実績情報の例を示す図である。
【図１１】分析順装置番号表の例を示す図である。
【図１２】仮想チャネル管理情報の例を示す図である。
【図１３】仮想パスおよび仮想チャネルを説明するための図である。
【図１４】局データの最適化処理の概略の流れを示すフローチャートである。
【図１５】設定帯域値の最適化処理の概略の流れを示すフローチャートである。
【図１６】移動体通信ネットワークシステムの運用例を示すフローチャートである。
【図１７】局データの最適化処理の流れの他の例を示すフローチャートである。
【図１８】帯域値の局データの最適化処理の流れの例を示すフローチャートである。
【図１９】イベントの開催に対応した局データの最適化処理の流れを示すフローチャートである。
【図２０】コンピュータプログラムを格納する記録媒体を説明する図である。
【符号の説明】
【０２１２】
１  無線アクセス網
２  保守網
１１  ネットワーク監視システム
１２  局データ生成システム
１３  保守端末
１０２  網情報収集部
１０３  局データ転送部
１５１  網情報格納部
２０１  統計情報管理部
２０３  網状態チェック部
２０４  最適化制御部
２０５  最適化分析部
２０６  余剰帯域分析部
２０９  イベント情報制御部
２１０  イベント情報分析部
２１１  位置情報分析部
２２０  局データ生成部
２５１  統計情報格納部
２５３  局設定情報格納部
２５４  閾値データ格納部
２５５  過去最適値化情報格納部
２５６  イベント実績情報格納部
３０２  イベント情報管理部
３５１  イベント情報格納部
Ｄ１５１  網情報
Ｄ２５１  統計情報
Ｄ２５３  局設定情報
Ｄ２５４  閾値データ
Ｄ２５５  過去最適値化情報
Ｄ２５６  イベント実績情報
Ｄ３５１  イベント情報
ＮＳ  移動体通信ネットワークシステム
ＨＪ  分析順装置番号表
ＫＣ  仮想チャネル管理情報
ＤＮ  局データ
ＤＮＳ  設定データ
ＪＪ  実績情報
ＳＢ  帯域設定情報
ＢＵ  帯域情報
ＢＴ  使用帯域値
ＢＥ  設定帯域値
ＢＮ  差分帯域値
ＢＳ  最適帯域値
ＢＳＫ  仮最適帯域値
ＢＪ  実績帯域値
ＤＴＧ  限界閾値
ＤＴＡ  安全閾値
ＲＵ  増加率
ＴＫ  経過時間
【図１】
2010010904.tif 000003
【図２】
2010010904.tif 000004
【図３】
2010010904.tif 000005
【図４】
2010010904.tif 000006
【図５】
2010010904.tif 000007
【図６】
2010010904.tif 000008
【図７】
2010010904.tif 000009
【図８】
2010010904.tif 000010
【図９】
2010010904.tif 000011
【図１０】
2010010904.tif 000012
【図１１】
2010010904.tif 000013
【図１２】
2010010904.tif 000014
【図１３】
2010010904.tif 000015
【図１４】
2010010904.tif 000016
【図１５】
2010010904.tif 000017
【図１６】
2010010904.tif 000018
【図１７】
2010010904.tif 000019
【図１８】
2010010904.tif 000020
【図１９】
2010010904.tif 000021
【図２０】
2010010904.tif 000022